(57)【特許請求の範囲】
【請求項１】
筒状体の同軸上に、給水配管を接続可能な継手機構と、該継手機構と連通し、それぞれ透孔を有する一対のセラミック製ディスク弁を介して流路を制御する開閉及び流量調整機構と、該開閉及び流量調整機構の操作杆と連動するハンドルと、上記開閉及び流量調整機構と連通し、給水ホースを接続可能な吐水口とを連続して一体に設けたことを特徴とする給水栓。
【請求項２】
上記セラミック製ディスク弁が、摺動可能に密接する一対の固定ディスク及び回転ディスクと、該回転ディスクの操作杆とからなり、固定ディスク及び回転ディスクはそれぞれ透孔を有し、操作杆の回動による透孔の重なり度合いによって流路を開閉及び流量調整可能としたものである請求項１記載の給水栓。
【請求項３】
上記継手機構が、ワンタッチ継手を有するものである、請求項１又は請求項２記載の給水栓。
【請求項４】
上記吐水口が、逆流防止機能、又は／及び、緊急止水機能を有するものである、請求項１から請求項３のいずれか１項記載の給水栓。
【請求項５】
平面視略方形状の底面板と、該底面板の外周に沿って立設される環状の突縁部とが一体的に形成されてなる防水パン本体の角隅部にケーシングを凹設し、上記請求項１から請求項４のいずれか１項記載の給水栓を、ハンドルと吐水口のみを露出させて該ケーシングに取り付けたことを特徴とする洗濯機用防水パン。
【請求項６】
平面視略方形状の底面板と、該底面板の外周に沿って立設される環状の突縁部とが一体的に形成されてなる防水パン本体の、前記底面板の一個所の角隅部に前記突縁部とほぼ同じ高さの台板部を設け、該台板部の開口周縁に平面部を残してケーシングを凹設し、該ケーシングの下端面に管挿通孔を設ける一方、上記請求項１から請求項４のいずれか１項記載の給水栓の継手機構にフランジ部を連設し、上記管挿通孔に給水配管を挿通し、該給水配管の先端を上記給水栓の継手に挿着すると共に、給水栓のフランジ部を上記台板部の上記平面部に載置、固定するようにして上記給水栓を取り付けたことを特徴とする洗濯機用防水パン。
【請求項７】
上記管挿通孔にシールパッキンを有する請求項６記載の洗濯機用防水パン。
【発明の詳細な説明】
【技術分野】
【０００１】
この発明は、洗濯機を設置するための防水パンに取り付けるのに適した給水栓の構造、及び、その給水栓を取り付けた洗濯機用防水パンに関するものである。
【背景技術】
【０００２】
従来、住宅の床面の所定位置に設置された防水パンに載置される洗濯機への給水は、本管から分岐した給水配管を床下から壁面内へ立ち上げ、壁面から突出させた状態で給水栓を前記給水配管に接続し、この給水栓に接続されたホースを洗濯機に接続することにより行っていた。そのため、給水配管の立ち上げのために、壁面内へ埋め込み配管する作業が必要であり、コスト高となると共に、給水栓が壁面から突出して見栄えが悪いという問題があった。
【０００３】
このような問題を解決するものとして、例えば、特許文献１に開示された洗濯機用パンが知られている。該公報に記載された洗濯機用パンは、床面に当接する平面視略矩形状の底部と、前記底部の周縁に立ち上がって設ける枠部とで構成され、前記底部の１つの角は三角形に切り欠いた形をなし、前記底部の角に位置する枠部の上板部分を貫通させて給水用水栓を立設したものであり、床板から突出した給水配管を、直接前記給水用水栓に接続し、前記給水用水栓に洗濯機の給水ホースを接続するようにしたものである。
【０００４】
また、同種の構造として、特許文献２に開示された、洗濯機用水栓付き洗濯機パンも提案されている。
【０００５】
しかしながら、これらの文献に記載された洗濯機用防水パンにおいては、給水用水栓（給水栓）自体は既存のものと同じであり、その構造は、大型のハンドルにより内部の開閉弁機構を動作させて開閉及び流量調整を行うもので、その全体の立ち上がり高さが高くなり、洗濯機の設置に支障を生じる場合があった。また、該給水栓が、流量調整ハンドルと吐水口とを一体的に組み込んだ構成であるため、給水の流量調整個所と洗濯機のホースの接続個所とが同一個所になるという問題がある。即ち、操作容易性の観点からは、流量調整ハンドルは手前側に設けるのが好ましく、外観の見栄えの良さの観点からは、洗濯機のホースを背面側に隠すことが好ましいという、相反する要請があり、いずれか一方の要請を犠牲にしなければならなかった。
【０００６】
かかる問題点を解決するため、本出願人は、特許文献３や、その改良型である特許文献４の防水パンを提案している。これらの防水パンにおいては、流量調整機能付き給水栓を方形に形成されるパン本体の手前隅部に設けて、その操作性を高める一方、洗濯機の給水部と接続される吐水口をパン本体の奥側隅部に位置させるようにして、接続ホースを目立たないように接続可能として見栄えを改善している。
【０００７】
【特許文献１】特開平１１−６１９２３号公報
【特許文献２】特開２００３−３０１４９３号公報
【特許文献３】特開２００２−１２１７９５号公報
【特許文献４】特開２００３−１０５８２１号公報
【発明の開示】
【発明が解決しようとする課題】
【０００８】
上記構成の防水パンでは、給水栓と吐水口が離れた位置に設けられているため、両者をパン本体の内部において接続する必要がある。そのため、特許文献３に開示ものは、樹脂製のフレキシブル管を用いて両者を接続するものであった。このフレキシブル管は、安価で、パン本体の内部での引き回しが自由に行えるという利点があるが、金属管等に比べれば強度が低いという問題が残されている。そのため、特許文献４に開示の防水パンでは、両者の接続に金属管、特に銅管を用いることを提案してる。
【０００９】
しかしながら、上記改良型の防水パンにおいては、防水パンの２個所に、給水栓のハンドルと吐水口という突出物が存在することになり、その分、洗濯機の設置面積を減少させるものとなっている。
【００１０】
また、床下配管から給水栓に取り付ける継手は防水パンの下側になり、給水栓から吐水口の間も防水パンの下側に配管されるので、一度洗濯機を設置してしまうと、継手接続個所の確認やメンテナンスが困難であると共に、何らかの要因でその接続部分に漏水が生じた場合、外観からは発見することが難しいという問題がある。
【００１１】
さらに、近年、金属材料、特に銅材の価格が高騰し、特許文献４のように銅管を用いることは製造コストを上昇させる要因ともなっている。また、給水栓と吐水口を分離して設けること自体、部品点数が大幅に増加し、製造に多大な手間がかかると共に、製造コストを上昇させるものである。
【００１２】
一方、最近の洗濯機は、いわゆる全自動型のものが主流であり、この種の洗濯機では、給水ホースを接続するだけでよく、水栓の開閉や水量の調整は、洗濯機側で自動的に制御して行っている。そのため、従来のように、手前側に大型の流量調整機能付きの給水栓を設ける必要性は低くなっている。
【００１３】
本発明は、かかる現状に鑑みてなされたものであり、給水配管との継手機構、開閉及び流量調整機構、操作ハンドル、吐水口等を筒状体に一体に設け、且つ、高さを抑えた給水栓の構造を提案すると共に、この給水栓を適用した改良型の防水パンを提案することを目的としている。
【課題を解決するための手段】
【００１４】
上記課題を解決するため、本発明は、防止パンに取付可能な給水栓として、筒状体の同軸上に、給水配管を接続可能な継手機構と、該継手機構と連通し、それぞれ透孔を有する一対のセラミック製ディスク弁を介して流路を制御する開閉及び流量調整機構と、該開閉及び流量調整機構の操作杆と連動するハンドルと、上記開閉及び流量調整機構と連通し、給水ホースを接続可能な吐水口とを連続して一体に設けるという手段を採用した。
【００１５】
また、記セラミック製ディスク弁が、摺動可能に密接する一対の固定ディスク及び回転ディスクと、該回転ディスクの操作杆とからなり、固定ディスク及び回転ディスクはそれぞれ透孔を有し、操作杆の回動による透孔の重なり度合いによって流路を開閉及び流量調整可能としたものであるという手段を採用した。
【００１６】
さらに、上記継手機構が、ワンタッチ継手を有するものであるという手段を採用した。
【００１７】
また、上記吐水口が、逆流防止機能、又は／及び、緊急止水機能を有するものであるという手段を採用した。
【００１８】
上記構成の給水栓は、給水配管を継手に差し込むだけで簡単に接続可能であると共に、ハンドルの僅かな操作により給水栓の開閉や流量調整が可能となるものである。また、逆流防止機能や緊急止水機能を採用することにより、安全性が高まった。
【００１９】
また、洗濯機用防水パンの構成としては、平面視略方形状の底面板と、該底面板の外周に沿って立設される環状の突縁部とが一体的に形成されてなる防水パン本体の角隅部にケーシングを凹設し、上記給水栓を、ハンドルと吐水口のみを露出させて該ケーシングに取り付けるという構成を採用した。
【００２０】
具体的には、平面視略方形状の底面板と、該底面板の外周に沿って立設される環状の突縁部とが一体的に形成されてなる防水パン本体の、前記底面板の一個所の角隅部に前記突縁部とほぼ同じ高さの台板部を設け、該台板部の開口周縁に平面部を残してケーシングを凹設し、該ケーシングの下端面に管挿通孔を設ける一方、上記給水栓の継手機構にフランジ部を連設し、上記管挿通孔に給水配管を挿通し、該給水配管の先端を上記給水栓の継手に挿着すると共に、給水栓のフランジ部を上記台板部の上記平面部に載置、固定するようにして上記給水栓を取り付けるという構成を採用した。
【００２１】
また、上記管挿通孔にシールパッキンを設けるという構成も採用した。
【００２２】
上記構成の洗濯機用防水パンは、給水栓を防水パン本体の角隅部のケーシングに取り付けるようにしたので、給水配管との接続を防水パンの上で接続できるという作用を奏するものである。
【発明の効果】
【００２３】
上記構成の本発明に係る給水栓は、継手機構、開閉及び流量調整機構、操作ハンドル、吐水口を筒状体の同軸上に一体に連設したものであるから、全体の組立高さを、先に述べたような大型ハンドルを用いた従来品に比べて低くすることが可能となり、取り付け時に場所をとらず、洗濯機と干渉することもないものである。
【００２４】
また、全体を構成する部品点数を減少させたものであるので、製造コストの大幅な低減を実現できるものである。
【００２５】
さらに、ハンドルの僅かな操作で、給水の開閉及び流量調整が可能となり、利便性が向上したものである。
【００２６】
一方、上記給水栓を取り付けた洗濯機用防水パンは、給水栓を筒状体に一体に形成しているので、従来のように給水栓と吐水口を防水パンの下で銅管で接続する必要がなく、材料の節約や部品点数の減少によって、製造の手間やコストを大幅に削減できるものとなり、防水パン全体の価格を低価格で提供できるようになった。
【００２７】
また、従来と異なり、防水パンの上で給水配管を給水栓の継手に接続できるので、施工やメンテナンスが容易となり、漏水の発見等も容易となった。そのため、例えば、「住宅の品質確保の促進等に関する法律」に基づく住宅性能表示制度において、高い評価等級を得ることができ、付随的な効果として、住宅の価値を高めることができた。
【００２８】
また、継手部分はケーシング内に収納し、その管挿通孔にシールパッキンを介在させているので、仮に継手部分に漏水が生じた場合にも、漏水はケーシング内に溜まることになり、容易に漏水を確認できると共に、防水パンの下側に漏れ出すことがないので、床面を汚損することがない。
【発明を実施するための最良の形態】
【００２９】
以下、本発明に係る給水栓及びそれを取り付けた洗濯機用防水パンの好ましい実施形態を、添付した図面に従って説明する。
【００３０】
図１は、洗濯機用防水パンの全体構成の概略を示す斜視図である。また、図２（Ａ）は、その平面図、同図（Ｂ）は、図（Ａ）のＡ−Ａ線断面図である。各図において、１は、防水パン本体で、平面視略方形状であって四隅に洗濯機の脚部を載置可能な載置台２ａを設けた底面板２と、該底面板２の外周に沿って立設される環状の突縁部３とが一体的に形成されたものであり、例えば、ＰＰ製やＡＢＳ製の樹脂成型品からなるものである。そして、その大きさは、例えば６４０×６４０mmのサイズからなる略正方形状に形成されたもので、現在主流となっている全自動洗濯機の標準的な大きさに対応するものである。なお、この原材料や大きさは一例であり、上記載置台２ａも必要に応じて設ければよい。即ち、防水パンの全体構造は、本発明の趣旨を逸脱しない範囲で最良の原材料や形状が選択されるものである。
【００３１】
上記底面板２の一個所の角隅部には、下述する給水栓４を装着するための台板部５が上記突縁部３とほぼ同じ高さに連設して設けられている。また、底面板２の中央部分には、公知の排水トラップと接続する排水口６が形成されている。
【００３２】
図３（Ａ）は、給水栓４を装着した防水パンの該給水栓部分の平面図、同図（Ｂ）は、給水栓４を装着した防水パンの部分断面図である。図において、７は、台板部５に凹設された有底円筒状のケーシングであって、給水栓４のほぼ下半分を収納するものである。このケーシング７の下端面には床面（Ｆ）に設けた穴から立ち上がる給水配管（Ｈ）の管挿通孔７ａが設けられているが、該管挿通孔７ａにはシールパッキン８を取り付けて給水配管（Ｈ）を水密に保持可能としている。これは、給水栓４から漏水があった場合、その漏水を床下（防水パンの下面）に流さないようにするためのものである。また、ケーシング７の上端開口縁部には一段低く平面部７ｂを周設し、該平面部７ｂには複数の取付穴７ｃ、・・・が穿設されている。即ち、この平面部７ｂに下述する給水栓４のフランジ部１２を載置し、各取付穴７ｃにビス９で固定可能としたものである。
【００３３】
次に、給水栓４の具体的構成について、、図４に示した拡大部分断面図に従って述べると、全体としては上下端が連通する複数部品からなる筒状体１０として形成され、下述する各機構を該筒状体１０の同軸上に連続して一体に配して、全体の小型化を図ったものである。即ち、図において、１１は該筒状体１０の下端に設ける継手機構で、例えばワンタッチ継手により給水配管（Ｈ）の端部を挿入するだけで、簡単にこれを保持、固定できるようにしたものである。このワンタッチの継手機構１１としては、従来からあるワンタッチ継手の構造を採用することができる。１２は該継手機構１１の胴部の上端部分から水平方向に連設したフランジ部であり、その周面に複数の透孔１２ａ、・・・を設け、上述したケーシング７の平面部７ｂに載置して、各取付穴７ｃにビス９を介して固定できるようにしている。なお、この継手機構１１としては、図示したワンタッチ継手などを始めとする各種のメカニカル継手やネジ取り出しによる継手など、種々のすべての公知の継手を採用することが可能であり、本発明における継手機構１１は、それらの各種継手をすべて含む概念である。
【００３４】
１３は、開閉及び流量調整機構で、それぞれ透孔を有する一対のセラミック製ディスクからなるディスク弁等を適宜なハウジング１３ｈに収納してなり、パッキン１４を介して上記継手機構１１に連通して接続されるものであって、上記給水配管（Ｈ）から供給される上水の開放、遮断及び流量調整を行うものである。
【００３５】
このセラミック製のディスク弁の基本的な構成の一例を図５について説明すると、１３ａは固定ディスク、１３ｂは回転ディスク、１３ｃは操作杆であり、上述した適宜なハウジング１３ｈに収納されているものである。対となる固定ディスク１３ａ及び回転ディスク１３ｂには、それぞれ四半円形状の透孔１３ｄ、・・・が対角上に穿設されている。両ディスクの対向面は鏡面仕上げがされており、面圧をかけることで密に接合し、且つ摺動可能となっている。この固定ディスク１３ａは下面が前記パッキン１４と当接し、その弾発力により適当な面圧を受け、上記回転ディスク１３ｂと密に接合するものである。
【００３６】
回転ディスク１３ｂの周縁には切欠１３ｅが設けられ、対応して設けられる操作杆１３ｃの爪１３ｆが係入して、下述するハンドル１５を介して操作杆１３ｃを軸回りに回動させることで、同期して回動する。このとき、両ディスクの透孔１３ｄ、・・・の位置関係により、両透孔１３ｄが完全に一致すれば全面開口となる一方、一部が重なる場合には、その重なり度合いによって通過流量が変動し、完全に不一致の場合は全面閉止となる。これにより流路の開閉及び流量調整が可能となる。上記透孔１３ｄを通過した水は、操作杆１３ｃの中心に設けられる通孔１３ｇを通って上方に流れることになる。なお、このセラミック製ディスク弁の構造は図示したものに限定されるものではなく、例えば透孔１３ｄの形状は任意であり、適宜な操作杆によって回動して開閉可能な従来からある各種ディスク弁を採用することが可能である。
【００３７】
続いて、図３、４において、１５はハンドルであり、給水栓４の軸回りに所定範囲（例えば９０度）で回動自在に設け、上記ディスク弁の操作杆１３ｃと連結して上記開閉及び流量調整機構１３の開閉動作を行うものである。ハンドル１５の側面には突起部１５ａを突出して設け、ハンドル１５の回動操作を容易とすると共に、前記ディスク弁の開閉度合いの確認を可能としている。
【００３８】
１６は、上記開閉及び流量調整機構１３の通孔１３ｇに連通して設けられる吐水口であり、例えば逆止弁１７などから構成される逆流防止機能や、ストッパー１８などから構成される緊急止水機能などを有する構造となっている。即ち、配管側に何らかの故障が生じた場合も、洗濯槽からの汚水が逆流しないようにすると共に、接続する洗濯機の給水ホースが何らかの要因で外れた場合には、緊急止水機能が作動して、吐水口１６から水が不用意に噴出しないようにしている。この逆流防止機能や緊急止水機能としては、従来からあるものが、適宜採用される。また、この吐水口１６の先端形状は、洗濯機からの給水ホースの先端に取り付けるカプラーが容易に着脱可能な、規格化された継手構造が採用されることが好ましい。
【００３９】
上記構成の給水栓４は、継手機構１１、開閉及び流量調整機構１３、ハンドル１５、吐水口１６を筒状体１０の同軸上に一体に連設しているので、その組立高さは、大型ハンドルを用いる従来品に比べて低くすることができ、防水パンに取り付けても場所をとらず、洗濯機と干渉することもないものである。また、全体の部品点数を減少させることが可能になったので、製造材料の減少と共に、製造コストの大幅な低減を実現できるものとなっている。さらに、ハンドル１５の僅かな回動操作だけで、給水の開閉及び流量調整が可能となり、使用の利便性が向上したものである。
【００４０】
続いて、上記防水パン本体１及び給水栓４の取り付け方法について説明する。まず、床面（Ｆ）に設けた穴から給水配管（Ｈ）が突出している状態において、給水配管（Ｈ）を防水パン本体１の一個所の角隅部に設けられた台板部５に凹設されたケーシング７の下端面の管挿通孔７ａから突出させたうえで、防水パン本体１の位置決めをし、その底面板２をビス等で床面に固定する。このとき、管挿通孔７ａにはシールパッキン８を取り付け、給水配管（Ｈ）を水密に保持する。次に、該給水本管（Ｈ）の端部に継手機構１１を介して上記給水栓４を取り付ける。ワンタッチの継手機構１１を採用すれば、給水本管（Ｈ）の先端部分をワンタッチ継手に差し込むだけで容易に接続が完了する。
【００４１】
この状態で、給水本管（Ｈ）を押し戻し、継手機構１１がケーシング７内に納まるようにして、給水栓４のフランジ部１２をケーシング７の平面部７ｂに載置する。そして、フランジ部１２の各透孔１２ａとケーシング７の各取付穴７ｃの位置を合わせ、ビス９を締め付けて給水栓４を台板部５に固定する。これにより、給水栓４は、ハンドル１５と吐水口１６のみを上方に露出して、防水パン本体１の台板部５に取り付けられることになる。後は、洗濯機を防水パン上に設置し、その給水ホースを吐水口１６に接続すればよい。
【００４２】
上述したように、本発明に係る給水栓は、筒状体に一体に形成しているので、従来、給水栓と吐水口を分離していたもののように、両者を銅管で接続する必要がなく、防水パン全体を低価格で提供できるものである。また、本発明に係る給水栓及び防水パンによれば、従来と異なり、給水栓の継手を防水パンの上で接続できるようになったので、防止パンの位置決めが容易になると共に、施工やメンテナンスが極めて容易となった。そして、給水配管と給水栓の接続部分が容易に確認できるので、付随的な効果として、「住宅の品質確保の促進等に関する法律（住宅品確法）」に基づく住宅性能表示制度において、配管の維持管理における評価について、高い評価等級を得ることが可能となり、住宅の価値を高めることができる。
【００４３】
また、ワンタッチ継手部分１１はケーシング７内に収納し、その管挿通孔７ａにシールパッキン８を介在させているので、仮に継手部分１１で漏水を生じたとしても、漏水はケーシング７内に溜まることになり、容易に漏水の確認ができる。さらに、漏水は防水パンの下に漏れ出すことがなく、ケーシング７からあふれても、底面板２を伝って排水口６に流れ込むので、床面や他の家具などに対し腐敗等の悪影響を及ぼさないものである。
【００４４】
なお、上記実施形態においては、給水栓の構造、及び、それを取り付ける洗濯機用防水パンの構造について説明したが、上記構成の給水栓は、他の用途にも転用可能である。即ち、上記防水パンにおけるケーシング７を凹設した台板部５の構成を、例えば、壁取付部材に転用すれば、壁面からの取り出し配管構造として使用することも可能である。また、防水パンに限らず、吐水口の形状の選択により、洗面台や台所シンク等における給水栓としても利用可能であり、その利用範囲は多様である。
【図面の簡単な説明】
【００４５】
【図１】洗濯機用防水パンの全体構成の概略を示す斜視図である。
【図２】（Ａ）は図１の平面図、（Ｂ）は図（Ａ）のＡ−Ａ線断面図である。
【図３】（Ａ）は給水栓を装着した防水パンの該給水栓部分の平面図、（Ｂ）は給水栓を装着した防水パンの部分断面図である。
【図４】図３の給水栓及び台板部の拡大部分断面図である。
【図５】セラミック製ディスク弁の基本的な構成の一例を示す分解斜視図である。
【符号の説明】
【００４６】
１    防水パン本体
２    底面板
３    突縁部
４    給水栓
５    台板部
６    排水口
７    ケーシング
７ａ  管挿通孔
７ｂ  平面部
７ｃ  取付穴
８    シールパッキン
９    ビス
１０    筒状体
１１    継手機構
１２    フランジ部
１２ａ  透孔
１３    開閉及び流量調整機構
１３ａ  固定ディスク
１３ｂ  回転ディスク
１３ｃ  操作杆
１３ｄ  透孔
１４    パッキン
１５    ハンドル
１６    吐水口
１７    逆止弁
１８    ストッパー
【図１】
0004691132.tif 000002
【図２】
0004691132.tif 000003
【図３】
0004691132.tif 000004
【図４】
0004691132.tif 000005
【図５】
0004691132.tif 000006